(57)【要約】【課題】多くの電力を消費することなく内燃機関の運転停止後に燃料供給管内の燃料圧力を低下させる。【解決手段】ＥＣＭ９が、燃料供給管２内の燃料温度に基づいて内燃機関の運転停止後における燃料供給管２内の燃料圧力の減圧割合を算出し、算出された減圧割合に基づいてリリーフバルブ６の目標開度を設定し、リリーフバルブ６の開度が目標開度になるようにリリーフバルブ６の開度をフィードバック制御すると共に、リリーフバルブ６の開度が目標開度に到達した段階において、リリーフバルブ６への通電を停止することによりリリーフバルブ６の開度を固定する。【選択図】図１
2006348818.tif 000002
【特許請求の範囲】
【請求項１】
内燃機関に燃料を供給する燃料供給管に設けられたリリーフバルブの開度を制御することにより燃料供給管中の燃料圧力を制御する燃料供給制御装置であって、
少なくとも燃料供給管内の燃料温度に基づいて内燃機関の運転停止後における燃料供給管内の燃料圧力の減圧割合を算出する算出手段と、
前記算出手段により算出された減圧割合に基づいてリリーフバルブの目標開度を設定する目標開度設定手段と、
前記リリーフバルブの開度が前記目標開度設定手段により設定された目標開度になるようにリリーフバルブの開度をフィードバック制御する開度制御手段と、
前記リリーフバルブの開度が目標開度に到達した段階において、リリーフバルブへの通電を停止することによりリリーフバルブの開度を固定する通電制御手段と
を備えることを特徴とする燃料供給制御装置。
【請求項２】
請求項１に記載の燃料供給制御装置であって、
燃料供給制御装置は電子部品により構成されるコントロールユニットであり、前記通電制御手段は、前記リリーフバルブへの通電を停止した後にコントロールユニットへの通電が停止されるように制御することを特徴とする燃料供給制御装置。
【発明の詳細な説明】
【技術分野】
【０００１】
本発明は、内燃機関の運転停止後に燃料供給管中の燃料圧力を低減する燃料供給制御装置に関する。
【背景技術】
【０００２】
従来より、内燃機関の運転停止後、燃料温度センサと燃料圧力センサの検出結果に基づいて燃料供給管内の燃料を燃料タンクに戻すリリーバルブの開度をフィードバック制御することにより、燃料供給管内の燃料温度及び燃料圧力を低下させる燃料供給制御装置が知られている（特許文献１を参照）。このような燃料供給制御装置によれば、内燃機関の運転停止後にインジェクタから燃料が漏れることや燃料供給管中にベーパーが発生することを防止できる。
【特許文献１】特開平９−４２１０９号公報
【発明の開示】
【発明が解決しようとする課題】
【０００３】
しかしながら、従来の燃料供給制御装置は、内燃機関の運転停止後にフィードバック制御によって燃料供給管内の燃料圧力を低下させる構成になっているために、内燃機関の運転停止後もＥＣＭやリリーフバルブに対して電力を供給する必要があり、バッテリの負担が大きい。また、ＥＣＭやリリーフバルブの消費電力を補うために燃費が悪化する。なお、このような問題を解決するために、バッテリを別個に設ける方法も考えられるが、この方法を用いた場合には、内燃機関のコストが増加してしまう。
【０００４】
本発明は、上記課題を解決するためになされたものであり、その目的は、多くの電力を消費することなく内燃機関の運転停止後に燃料供給管内の燃料圧力を低下させることが可能な燃料供給制御装置を提供することにある。
【課題を解決するための手段】
【０００５】
上記目的を達成するために、本発明に係る燃料供給制御装置は、少なくとも燃料供給管内の燃料温度に基づいて内燃機関の運転停止後における燃料供給管内の燃料圧力の減圧割合を算出し、算出された減圧割合に基づいてリリーフバルブの目標開度を設定し、リリーフバルブの開度が目標開度になるようにリリーフバルブの開度をフィードバック制御し、リリーフバルブの開度が目標開度に到達した段階において、リリーフバルブへの通電を停止することによりリリーフバルブの開度を固定する。
【発明の効果】
【０００６】
本発明に係る燃料供給制御装置によれば、内燃機関の運転停止後、最低限の消費電力で燃料供給管内の燃料圧力を低下させ、インジェクターからの燃料漏れや燃料供給管中におけるベーパーの発生を防止できる。
【発明を実施するための最良の形態】
【０００７】
以下、図面を参照して、本発明の実施形態となる燃料供給制御装置の構成について説明する。
【０００８】
本発明の実施形態となる燃料供給制御装置は、図１に示すように、内燃機関に供給する燃料を貯蔵する燃料タンク１と、燃料供給管２を介してインジェクター３に燃料タンク１に貯蔵されている燃料を供給する燃料ポンプ４と、燃料供給管２内の燃料を燃料タンク１に戻すリリーフ配管５と、リリーフ管５内の燃料流量を有段又は無段階に調整可能なリリーフバルブ６と、燃料供給管２中の燃料温度及び燃料圧力を検出する燃温センサ７及び燃圧センサ８と、燃温センサ７及び燃圧センサ８の検出結果を参照してリリーフバルブ６の開度を制御するＥＣＭ９とを備える。なお、上記リリーフバルブ６は、電源がオフ状態である時も現在の開度を保持可能なステップモータ等の弁により構成されている。また、ＥＣＭ９は、内燃機関の運転状態に応じて目標燃料圧力を算出し、算出された目標燃料圧力に基づいて燃料ポンプ４の動作を制御する。
【０００９】
そして、このような構成を有する燃料供給制御装置では、ＥＣＭ９が以下に示す燃料供給制御処理を実行することにより、バッテリに大きな負担を掛けることなく、内燃機関の運転停止後に燃料供給管２内の燃料圧力を低下させる。以下、図２に示すフローチャートを参照して、この燃料供給制御処理を実行する際のＥＣＭ９の動作について説明する。
【００１０】
図２に示すフローチャートは、内燃機関が始動されるのに応じて開始となり、燃料供給制御処理はステップＳ１の処理に進む。
【００１１】
ステップＳ１の処理では、ＥＣＭ９が、内燃機関の停止条件が成立したか否かを判別する。そして、内燃機関の停止条件が成立するのに応じて、ＥＣＭ９は、燃料供給制御処理をステップＳ２の処理に進める。
【００１２】
ステップＳ２の処理では、ＥＣＭ９が、燃温センサ７により燃料供給管２内の燃料温度を検出し、図３に示すようなリリーフバルブの開度と燃料供給管２内の燃料温度の関係を示すマップを参照して、検出された燃料温度に対応するリリーフバルブ６の目標開度（減圧割合）を算出する。これにより、ステップＳ２の処理は完了し、燃料供給制御処理はステップＳ３の処理に進む。
【００１３】
ステップＳ３の処理では、ＥＣＭ９が、ステップＳ２の処理により算出された目標開度になるようにリリーフバルブ６の開度を調整し、燃料供給管２内の燃料圧力を減少させる。これにより、ステップＳ３の処理は完了し、燃料供給制御処理はステップＳ４の処理に進む。
【００１４】
ステップＳ４の処理では、ＥＣＭ９が、図示しない開度センサによりリリーフバルブ６の開度がステップＳ２の処理により算出された目標開度に到達したか否かを判別する。そして、判別の結果、リリーフバルブ６の開度が目標開度に到達していないと判断された場合、ＥＣＭ９は燃料供給制御処理をステップＳ３の処理に戻す。一方、リリーフバルブ６の開度が目標開度に到達したと判断された場合には、ＥＣＭ９は燃料供給制御処理をステップＳ５の処理に進める。
【００１５】
ステップＳ５の処理では、ＥＣＭ９が、燃料ポンプ４，リリーフバルブ６，及びＥＣＭ９の順に電源をオフにする。これにより、ステップＳ５の処理は完了し、燃料供給制御処理はステップＳ６の処理に進む。
【００１６】
ステップＳ６の処理では、電源オフ後もリリーフバルブ６の開度が目標開度に維持されることによって、燃料供給管２中の燃料がリリーフ管５を介して燃料タンク１に戻り、燃料供給管２中の燃料圧力は段階的に低下する。このため、高温条件下での急激な減圧によって燃料供給管２内にベーパーが発生することを防止できる。これにより、ステップＳ６の処理は完了し、一連の燃料供給制御処理は終了する。
【００１７】
以上の説明から明らかなように、本発明の実施形態となる燃料供給制御装置によれば、ＥＣＭ９が、燃料供給管２内の燃料温度に基づいて内燃機関の運転停止後における燃料供給管２内の燃料圧力の減圧割合を算出し、算出された減圧割合に基づいてリリーフバルブ６の目標開度を設定し、リリーフバルブ６の開度が目標開度になるようにリリーフバルブ６の開度をフィードバック制御すると共に、リリーフバルブ６の開度が目標開度に到達した段階において、リリーフバルブ６への通電を停止することによりリリーフバルブ６の開度を固定するので、内燃機関の運転停止後、最低限の消費電力で燃料供給管２内の燃料圧力を低下させ、インジェクター３からの燃料漏れや燃料供給管２中におけるベーパーの発生を防止できる。また、燃料供給管２内の燃料圧力を低下させることにより、インジェクター３の油密性を向上させることができる。また、内燃機関の運転停止時に燃料供給管２内の燃料流量を調整し、電源オフ後はフィードバック制御は行わないので、電力消費量を最小限に抑えることができる。
【００１８】
また、本発明の実施形態となる燃料供給制御装置によれば、ＥＣＭ９は、リリーフバルブ６への通電を停止した後にＥＣＭ９への通電を停止するので、リリーフバルブ６への通電を停止する前にＥＣＭ９への通電を停止することにより、リリーフバルブ６への制御信号出力が停止して、リリーフバルブ６が閉弁してしまうことを防ぎ、通電停止後もリリーフバルブ６の開度を目標開度に維持することができる。
【００１９】
以上、本発明者によってなされた発明を適用した実施の形態について説明したが、この実施の形態による本発明の開示の一部をなす論述及び図面により本発明は限定されることはない。すなわち、上記実施形態に基づいて当業者等によりなされる他の実施の形態、実施例及び運用技術等は全て本発明の範疇に含まれることは勿論であることを付け加えておく。
【図面の簡単な説明】
【００２０】
【図１】本発明の実施形態となる燃料供給制御装置の構成を示す模式図である。
【図２】本発明の実施形態となる燃料供給制御処理の流れを示すフローチャート図である。
【図３】リリーフバルブの開度と燃料温度の関係を示すマップ図である。
【符号の説明】
【００２１】
１：燃料タンク
２：燃料供給管
３：インジェクター
４：燃料ポンプ
５：リリーフ管
６：リリーフバルブ
７：燃温センサ
８：燃圧センサ
９：ＥＣＭ
【図１】
2006348818.tif 000003
【図２】
2006348818.tif 000004
【図３】
2006348818.tif 000005